(57)【要約】【課題】ＳＩＭカードの挿抜が可能な電子機器において、ＳＩＭカードの挿入時にＳＩＭカード内の情報を適切に再読出しする。【解決手段】電子機器１００は、インターフェース部１７０と、制御装置３００とを備える。インターフェース部は、ユーザに関する情報が記憶されたＳＩＭカード２００を挿入することができる。制御装置は、インターフェース部に挿入されたＳＩＭカードへ電源電圧を供給するとともに、ＳＩＭカードがインターフェース部へ挿入されたことに応答して、ＳＩＭカードに記憶されているユーザに関する情報を読出す。【選択図】図３
2014056377.tif 000002
【特許請求の範囲】
【請求項１】
ユーザに関する情報が記憶された記憶媒体を挿入することが可能に構成されたインターフェース部と、
前記インターフェース部に挿入された前記記憶媒体へ電源電圧を供給するとともに、前記記憶媒体が前記インターフェース部へ挿入されたことに応答して、前記インターフェース部を介して前記記憶媒体から前記ユーザに関する情報を読出すように構成された制御装置とを備える、電子機器。
【請求項２】
前記制御装置は、前記インターフェース部に前記記憶媒体が挿入されていない状態であっても、前記インターフェース部へ電源電圧を供給し、
前記制御装置は、前記記憶媒体が前記インターフェース部に挿入されたことに応答して、前記インターフェース部への電源電圧の供給を一時的に停止し、一時的に停止された前記インターフェース部への電源電圧の供給の復帰に応答して、前記記憶媒体から前記ユーザに関する情報の読出しを実行する、請求項１に記載の電子機器。
【請求項３】
前記制御装置は、
所定のアプリケーションを実行する処理部と、
前記記憶媒体への電源供給制御および前記記憶媒体からの情報の読出制御を行なう制御部とを含み、
前記処理部への電源電圧の供給と遮断は、ユーザによる電源操作に応じて切換えられ、
前記制御部には、ユーザによる電源操作にかかわらず電源電圧が供給され、
前記制御部は、前記処理部への電源供給状態にかかわらず、前記記憶媒体が前記インターフェース部へ挿入されたことに応答して、前記ユーザに関する情報の読出しを実行する、請求項１に記載の電子機器。
【請求項４】
前記処理部は、前記記憶媒体が前記インターフェース部に挿入されることに応答して起動された場合は、前記制御部による前記ユーザに関する情報の読出しが完了した後に、アプリケーションを起動する、請求項３に記載の電子機器。
【請求項５】
前記処理部は、前記記憶媒体から情報が読出せないときには、アプリケーションを停止する、請求項３に記載の電子機器。
【請求項６】
前記インターフェース部は、前記記憶媒体の挿抜状態を検出するための検出部を含み、
前記制御装置は、前記検出部からの信号に基づいて、前記記憶媒体が挿入されたか否かを判定する、請求項１に記載の電子機器。
【請求項７】
ユーザに関する情報が記憶された記憶媒体をインターフェース部へ挿入することが可能な電子機器を制御するための制御装置であって、
所定のアプリケーションを実行する処理部と、
前記記憶媒体へ電源電圧を供給するとともに、前記記憶媒体が前記インターフェース部へ挿入されたことに応答して、前記インターフェース部を介して前記記憶媒体から前記ユーザに関する情報を読出すように構成された制御部とを備える、制御装置。
【請求項８】
ユーザに関する情報が記憶された記憶媒体をインターフェース部へ挿入することが可能な電子機器の制御方法であって、
前記記憶媒体へ電源電圧を供給するステップと、
前記記憶媒体が前記インターフェース部へ挿入されたことに応答して、前記インターフェース部を介して前記記憶媒体に記憶されているユーザに関する情報を読出すステップとを備える、電子機器の制御方法。
【請求項９】
ユーザに関する情報が記憶された記憶媒体を挿入することが可能に構成されたインターフェース部と、
前記インターフェース部に挿入された前記記憶媒体へ電源電圧を供給するとともに、前記記憶媒体が前記インターフェース部へ挿入されたことに応答して、前記インターフェース部を介して前記記憶媒体から前記ユーザに関する情報を読出すように構成された制御装置とを備える、携帯通信端末。
【発明の詳細な説明】
【技術分野】
【０００１】
本発明は、電子機器およびその制御装置、制御方法、ならびに携帯通信端末に関し、より特定的には、記憶媒体の挿抜が可能な電子機器における記憶媒体挿入時の制御に関する。
【背景技術】
【０００２】
携帯電話などのような携帯通信端末において、当該端末固有の識別（ＩＤ）情報などが記憶された挿抜可能なＳＩＭ（Subscriber Identity Module Card）カードと呼ばれるＩＣカードを用いて、ユーザや通信端末を特定する技術が用いられる場合がある。また、近年では、移動体通信端末サービスの高速化，多様化に伴い、アプリケーションやユーザ情報を記録するために、ＩＣカード等の外部記憶媒体が用いられる場合もある。
【０００３】
このようなＩＣカードは接触型のＩＣカードであり、ＩＣカードからのデータの読出しおよびＩＣカードへのデータの書込みを行なう場合には、ＩＣカードへ電源を供給することが必要とされる。そして、ＩＣカードに電源を供給したまま、データの入出力中にＩＣカードの挿抜が行われると、ＩＣカード内に記憶されたデータを破損してしまうおそれがある。そのため、従来の携帯通信端末においては、端末の制御回路に電源を供給するバッテリを取り外した状態でないと挿抜できない場所に、ＩＣカードを挿入するためのインターフェース部が設けられる場合があった。
【０００４】
特開２００２−３１９８９２号公報（特許文献１）は、ＩＣカードの接続が可能な移動体通信端末において、ＩＣカードの抜き取り開始を検出することによってＩＣカードへの電源を切断するとともに、ＩＣカードがＳＩＭカードの場合には、ＳＩＭカードの挿抜に応じてネットワークへの接続および切断を切換える構成が開示される。このような構成とすることによって、端末の電源を投入したままの状態で安全かつ容易にＩＣカードの交換を行なうことができるとともに、通信機能の使用／不使用を自動的に切換えることができる。
【先行技術文献】
【特許文献】
【０００５】
【特許文献１】特開２００２−３１９８９２号公報
【発明の概要】
【発明が解決しようとする課題】
【０００６】
近年、携帯通信端末において、料金の決済や定期券などの機能が付与される場合がある。このような端末においては、端末のＩＤ情報やユーザ情報に加えて、課金情報のような機密性の高い情報が、たとえばＳＩＭカードに記憶される。そして、このような機能は、端末の主電源がオフの状態でも動作することが要求される場合がある。この場合、携帯通信端末の主電源がオフとされていても、ＳＩＭカードについては電源が供給されるようにすることが必要となる。
【０００７】
一方、ＳＩＭカードに記憶されたユーザ情報などの固有情報については、システム起動時、すなわち主電源がオンに切換えられてＳＩＭカードへの電源供給が開始されたことに応答してＳＩＭカードから読出されてメモリ等の記憶装置に記憶され、アプリケーションがその記憶された情報に基づいて動作する場合がある。しかしながら、上述のように主電源がオフの状態でもＳＩＭカードに電源が供給される場合には、ＳＩＭカードの抜き取りおよび再挿入が行われても、ＳＩＭカードへの電源供給は継続されたままになるので、ＳＩＭカードに記憶されたユーザ情報等の再読出し（リロード）が実行されない状態となり得る。そして、このユーザ情報等を利用するアプリケーションにおいては、ユーザおよび端末の識別および設定が適切に行なえなくなるおそれがある。
【０００８】
特に、電源装置であるバッテリの着脱ができないタイプの機器においては、ＳＩＭカードに記憶された情報をリロードできなくなる状態となりやすくなる。
【０００９】
本発明は、このような課題を解決するためになされたものであって、その目的は、記憶媒体（ＩＣカード）の挿抜が可能な電子機器において、ＩＣカードの挿入時にＩＣカード内の情報を適切に再読出しすることである。
【課題を解決するための手段】
【００１０】
本発明による電子機器は、インターフェース部と制御装置とを備える。インターフェース部は、ユーザに関する情報が記憶された記憶媒体を挿入することが可能である。制御装置は、インターフェース部に挿入された記憶媒体へ電源電圧を供給するとともに、記憶媒体がインターフェース部へ挿入されたことに応答して、インターフェース部を介して記憶媒体からユーザに関する情報を読出すように構成される。
【００１１】
好ましくは、制御装置は、インターフェース部に記憶媒体が挿入されていない状態であっても、インターフェース部へ電源電圧を供給する。制御装置は、記憶媒体がインターフェース部に挿入されたことに応答して、インターフェース部への電源電圧の供給を一時的に停止し、一時的に停止されたインターフェース部への電源電圧の供給の復帰に応答して、記憶媒体からユーザに関する情報の読出しを実行する。
【００１２】
好ましくは、制御装置は、所定のアプリケーションを実行する処理部と、記憶媒体への電源供給制御および記憶媒体からの情報の読出制御を行なう制御部とを含む。処理部への電源電圧の供給と遮断は、ユーザによる電源操作に応じて切換えられる。制御部には、ユーザによる電源操作にかかわらず電源電圧が供給される。制御部は、処理部への電源供給状態にかかわらず、記憶媒体がインターフェース部へ挿入されたことに応答して、ユーザに関する情報の読出しを実行する。
【００１３】
好ましくは、処理部は、記憶媒体がインターフェース部に挿入されることに応答して起動された場合は、制御部によるユーザに関する情報の読出しが完了した後に、アプリケーションを起動する。
【００１４】
好ましくは、処理部は、記憶媒体から情報が読出せないときには、アプリケーションを停止する。
【００１５】
好ましくは、インターフェース部は、記憶媒体の挿抜状態を検出するための検出部を含む。制御装置は、検出部からの信号に基づいて、記憶媒体が挿入されたか否かを判定する。
【００１６】
本発明による制御装置は、ユーザに関する情報が記憶された記憶媒体をインターフェース部へ挿入することが可能な電子機器を制御する。制御装置は、所定のアプリケーションを実行する処理部と、記憶媒体へ電源電圧を供給するとともに、記憶媒体がインターフェース部へ挿入されたことに応答して、インターフェース部を介して記憶媒体からユーザに関する情報を読出すように構成された制御部とを備える。
【００１７】
本発明による電子機器の制御方法は、ユーザに関する情報が記憶された記憶媒体をインターフェース部へ挿入することが可能な電子機器についての制御方法である。制御方法は、記憶媒体へ電源電圧を供給するステップと、記憶媒体がインターフェース部へ挿入されたことに応答して、インターフェース部を介して記憶媒体に記憶されているユーザに関する情報を読出すステップとを備える。
【００１８】
本発明による携帯通信端末は、インターフェース部と制御装置とを備える。インターフェース部は、ユーザに関する情報が記憶された記憶媒体を挿入することが可能に構成される。制御装置は、インターフェース部に挿入された記憶媒体へ電源電圧を供給するとともに、記憶媒体がインターフェース部へ挿入されたことに応答して、インターフェース部を介して記憶媒体からユーザに関する情報を読出すように構成される。
【発明の効果】
【００１９】
本発明においては、ＩＣカードの挿抜が可能な電子機器において、ＩＣカードの挿入時にＩＣカード内の情報を適切に再読出しすることができる。
【図面の簡単な説明】
【００２０】
【図１】本実施の形態に従う電子機器の概略図である。
【図２】図１の電子機器のハードウェア構成を説明するための全体ブロック図である。
【図３】図２における制御装置の詳細な構成を説明するための機能ブロック図である。
【図４】本実施の形態において、ＳＩＭカード挿入時の各信号状態を示すタイムチャートである。
【図５】本実施の形態において、ＳＩＭカード挿入時に制御装置で実行される処理を説明するためのフローチャートである。
【図６】本実施の形態において、ＳＩＭカード抜き取り時に制御装置で実行される処理を説明するためのフローチャートである。
【発明を実施するための形態】
【００２１】
以下、本発明の実施の形態について、図面を参照しながら詳細に説明する。なお、図中同一または相当部分には同一符号を付してその説明は繰り返さない。
【００２２】
図１は、本実施の形態に従う電子機器１００の概略図である。図１においては、電子機器１００として、携帯通信端末であるスマートフォンを例として説明するが、本発明における電子機器はこれに限られない。電子機器１００の他の例としては、たとえば、携帯電話、パーソナルコンピュータ、タブレット端末、ＰＤＡ（Personal Digital Assistance）、通信機能付き携帯ゲーム機、通信機能付き音楽プレーヤなどが含まれる。
【００２３】
図１を参照して、電子機器１００は、筺体１３０と、表示部としてのディスプレイ１１５と、ディスプレイ１１５へのユーザによるタッチ入力された位置を検出するためのタッチパネル１１０と、各種操作を行なうための操作ボタン１２０と、筺体１３０の側面に配置されたコネクタ部１６０およびインターフェース部１７０とを備える。
【００２４】
筺体１３０は、たとえば、ポリカーボネイト樹脂などのプラスチックによって形成される。
【００２５】
コネクタ部１６０およびインターフェース部１７０は、筺体１３０に凹部を設け、当該凹部内に接続端子を配置することによって構成される。すなわち、コネクタ部１６０およびインターフェース部１７０は、筺体１３０の側面から内側の位置で露出している。
【００２６】
コネクタ部１６０は、他の装置と接続するための接続ケーブルに設けられた外部コネクタ２５０を接続するための接続端子を有する。より具体的には、ＵＳＢ（Universal Serial Bus）インターフェース、ＨＤＭI（High-Definition Multimedia Interface）インターフェース、オーディオインターフェースなどとして実現される。
【００２７】
インターフェース部１７０は、たとえば、記憶媒体２００としての各種カードを装着するためのものである。より具体的には、インターフェース部１７０は、ＳＩＭカード、ＳＤ（Secure Digital）カード、ＣＦ（Compact Flash（登録商標））カードなどのインターフェースとして実現される。なお、以下の説明においては、記憶媒体２００としてＳＩＭカードを用いる場合を例として説明する。
【００２８】
なお、図１においてはインターフェース部１７０が１つの場合を例として説明するが、インターフェース部１７０は複数設けられてもよい。また、コネクタ部１６０およびインターフェース部１７０には、端子部を保護するための蓋部１４０，１５０がそれぞれ設けられる。
【００２９】
ディスプレイ１１５には、アプリケーションのコンテンツやデータが表示される。ディスプレイ１１５は、たとえば、液晶ディスプレイあるいは有機ＥＬ（Electro-Luminescence）ディスプレイである。また、ディスプレイ１１５には、透明なタッチパネル１１０が取り付けられており、ユーザからのタッチ操作による各種の指示を受け付けることが可能である。
【００３０】
電子機器１００には、基本的には、ユーザが片手または両手で把持して使用することが想定される。また、電子機器１００は、図示しない加速度センサが設けられ、ユーザが電子機器１００の長手方向および短手方向のいずれを把持した場合であっても、この加速度センサからの信号に基づいて、その把持方向に適した方向に画面表示を切換えられるようにしてもよい。
【００３１】
図２は、図１に示した電子機器１００のハードウェア構成を説明するための全体ブロック図である。なお、図２において、図１と重複する要素の詳細な説明は繰り返さない。
【００３２】
図２を参照して、電子機器１００は、主たる構成として、制御装置３００と、メモリ１０５と、タッチパネル１１０と、ディスプレイ１１５と、スピーカ１１６と、ＬＥＤ（Light Emitting Diode）１１７と、コネクタ部１６０と、インターフェース部１７０と、無線通信部１８０と、操作ボタン１２０とを含み、これらがシステムバス１２５を介して互いに接続される。
【００３３】
制御装置３００は、電子機器１００の電源供給を管理するとともに、メモリ１０５に記憶されたプログラムを読み出して実行することで、電子機器の各部の動作を制御する。制御装置３００の詳細な構成については、図３を用いて後述する。
【００３４】
メモリ１０５は、ＲＡＭ（Random Access Memory）、ＲＯＭ（Read Only Memory）、ハードディスクなどで実現される。またメモリ１０５は、制御装置３００で用いられるプログラムや各種データを記憶する。
【００３５】
タッチパネル１１０は、図１において説明したように、表示部として機能するディスプレイ１１５上に設けられており、たとえば、静電容量式のタッチパネルである。タッチパネル１１０は、外部の物体によるタッチパネル１１０へのタッチ操作を所定時間毎に検知して、タッチ座標（位置）を制御装置３００へ出力する。
【００３６】
スピーカ１１６は、制御装置３００からの信号に基づいて音声を出力する。また、ＬＥＤ１１７は、制御装置３００からの信号に基づいて発光する。たとえば、ＬＥＤ１１７は、タッチパネル１１０のバックライトとして用いられる。
【００３７】
コネクタ部１６０およびインターフェース部１７０は、上述のように、外部装置あるいは外部記憶媒体とのインターフェースとして機能する。
【００３８】
無線通信部１８０は、通信アンテナ１８５を介して信号を非接触で送受信する。無線通信部１８０は、制御装置３００からの通信データを通信信号に変換し、通信アンテナ１８５を介して、変換された通信信号を他の装置に送信する。また、無線通信部１８０は、他の装置から通信アンテナ１８５を介して受信した通信信号を通信データに変換し、変換された通信データを制御装置３００へ出力する。電子機器１００は、たとえば、第３世代移動通信システム（３Ｇ）、ＬＴＥ（Long Term Evolution）などの無線通信網を介して、インターネットに接続することができる。
【００３９】
操作ボタン１２０は、電子機器１００において、ディスプレイ１１５が設けられる面に配置されており、ユーザからの操作を受け付けてその情報を制御装置３００に出力する。たとえば、操作ボタン１２０としては、表示画面を遷移させるためのボタン、確定ボタン、キャンセルボタンなどを含む。
【００４０】
図３は、図２における制御装置３００の詳細な構成を説明するための機能ブロック図である。
【００４１】
図３を参照して、制御装置３００は、挿入検出部３２０と、スイッチ３３０と、電源回路３４０と、制御部３５０と、ＣＰＵ（Central Processing Unit）３６０とを含む。
【００４２】
挿入検出部３２０には、バッテリのような電源ノード３１０からの電圧ＶＣＣが直接供給される。挿入検出部３２０は、インターフェース部１７０に含まれる検出部１７５からの信号ＩＳＴを受け、その信号ＩＳＴに基づいて信号ＳＩＧを生成してスイッチ３３０を駆動する。検出部１７５と挿入検出部３２０とを結ぶ経路には、抵抗Ｒ１を介して電源ノード３１０からの電圧ＶＣＣが印加されている。
【００４３】
検出部１７５は、たとえば接地と挿入検出部３２０とに接続されるマイクロスイッチであり、インターフェース部１７０にＳＩＭカード２００が挿入されると、検出部１７５の接点が閉じられる。これによって、検出部１７５と挿入検出部３２０とを結ぶ経路の電位が、ＶＣＣとＲ１から定められる電位から接地電位に低下する。
【００４４】
すなわち、挿入検出部３２０は、検出部１７５からの信号ＩＳＴの電位を検出することによって、インターフェース部１７０にＳＩＭカード２００が挿入されているか否かを判定する。挿入検出部３２０は、検出部１７５からの信号ＩＳＴによって、ＳＩＭカード２００のインターフェース部１７０への挿入が検出されたことに応答して、所定時間だけＨｉｇｈ状態が継続するようなパルス信号を、信号ＳＩＧとして出力する。
【００４５】
スイッチ３３０は、たとえば、ＭＯＳＦＥＴ（Metal Oxide Semiconductor Field-Effect Transistor）であり、ドレインが電源回路３４０の入力に接続され、ゲートが挿入検出部３２０の出力に接続され、ソースが接地に接続される。スイッチ３３０は、挿入検出部３２０からの信号ＳＩＧにより駆動され、信号ＳＩＧがＨｉｇｈ状態の場合に導通状態となって、電源回路３４０に入力される信号ＳＥＬの電位を接地電位に低下させる。なお、図３においては示されていないが、スイッチ３３０が非導通状態である場合には、信号ＳＥＬは接地電位より高い所定の電位に設定される。
【００４６】
電源回路３４０には、電源ノード３１０からの電圧ＶＣＣが直接供給される。電源回路３４０は、スイッチ３３０からの信号ＳＥＬを受ける。電源回路３４０は、信号ＳＥＬの電位が接地電位より高い場合に制御部３５０へ電源電圧ＰＷＲを供給し、信号ＳＥＬの電位が接地電位の場合に制御部３５０へ電源電圧ＰＷＲの供給を停止する。
【００４７】
制御部３５０は、電源回路３４０から電源電圧ＰＷＲを受ける。制御部３５０は、電源電圧ＰＷＲを分配してインターフェース部１７０へ電源電圧ＰＷＳＭを供給する。すなわち、電源電圧ＰＷＳＭは、制御部３５０が電源回路３４０から受ける電源電圧ＰＷＲに対応した挙動を示す。
【００４８】
また、制御部３５０は、電源電圧ＰＷＲの立ち上がりを検出した場合には、ＳＩＭカード２００に記憶されているユーザに関する情報ＩＮＦＯを読出し、読出した情報をメモリ１０５に記憶する。なお、ユーザに関する情報としては、ユーザの個人情報、端末のＩＤ情報、および、クレジット機能などで用いられる課金情報などが含まれる。
【００４９】
ＣＰＵ３６０は、メモリ１０５に記憶されたデータを用いて、メモリ１０５に記憶されたプログラム（アプリケーション）を実行する。また、ＣＰＵ３６０は、信号ＩＳＴ，ＳＥＬの状態を受ける。
【００５０】
図３には示されていないが、ＣＰＵ３６０に供給される電源電圧は、ユーザにより操作される主電源によって切換えられる。すなわち、主電源がオフに設定された場合には、ＣＰＵ３６０への電源電圧が遮断され、ＣＰＵ３６０は停止する。
【００５１】
一方、挿入検出部３２０および電源回路３４０には、上述のように、電源ノード３１０から常に電源電圧が供給されており、主電源がオフの場合であっても動作することが可能である。
【００５２】
図４は、図３に示したような構成の制御装置３００を有する電子機器１００において、ＳＩＭカードの挿入時の各信号状態を示すタイムチャートである。図４においては、横軸に時間が示され、縦軸には、ＳＩＭカード２００の挿入状態を示す信号ＩＳＴ、スイッチ３３０を駆動する信号ＳＩＧ、電源回路３４０の入力信号ＳＥＬ、制御部３５０へ供給される電源電圧ＰＷＲ（すなわち、インターフェース部１７０に供給される電源で夏ＰＷＳＭ）、ＣＰＵ３６０の動作状態、およびユーザに関する情報ＩＮＦＯの読出信号が示される。
【００５３】
図３および図４を参照して、時刻ｔ１までは、主電源がオフに設定されており、ＣＰＵ３６０は停止中である。そして、ＳＩＭカード２００がインターフェース部１７０に未挿入の状態であり、信号ＩＳＴの電位は、ＶＣＣと抵抗Ｒ１から定まる所定の電位Ｖ１（＞０）を示している。このとき、信号ＳＩＧはＬｏｗでありスイッチ３３０は非導通状態である。そのため、信号ＳＥＬの電位は所定電位Ｖ２（＞０）であり、制御部３５０へ電源電圧ＰＷＲが供給された状態となっている。すなわち、インターフェース部１７０には、ＳＩＭカード２００は挿入されていないが、ＳＩＭカード２００へ供給するための電源電圧ＰＷＳＭは供給された状態である。
【００５４】
時刻ｔ１においてインターフェース部１７０へＳＩＭカード２００が挿入されると、検出部１７５の接点が閉じられて、信号ＩＳＴの電位が接地電位に低下する。そして、信号ＩＳＴの電位が接地電位に低下したことに応答して、挿入検出部３２０においてＳＩＭカード２００が挿入されたことが認識され、スイッチ３３０を駆動するためのパルス状の信号ＳＩＧが出力される（時刻ｔ２〜ｔ３）。
【００５５】
この信号ＳＩＧがＨｉｇｈとなっている間、スイッチ３３０が導通状態になり、これに対応して、電源回路３４０の入力信号ＳＥＬが、所定電位Ｖ２から接地電位に低下する。そして、これに応答して、制御部３５０への電源電圧ＰＷＲが遮断され、それによってインターフェース部１７０への電源電圧ＰＷＳＭも遮断される。
【００５６】
時刻ｔ３において、信号ＳＩＧがＬｏｗとなると、スイッチ３３０が非導通とされることによって信号ＳＥＬの電位がＶ２に復帰する。その結果、制御部３５０およびインターフェース部１７０への電源電圧ＰＷＲ，ＰＷＳＭが復帰する。
【００５７】
制御部３５０において、電源電圧ＰＷＲの立ち上がりが検出されると、それに応答して制御部３５０は、ＳＩＭカード２００に記憶されたユーザに関する情報ＩＮＦＯを時刻ｔ４〜ｔ５の間に読出（リロード）するとともに、読出した情報ＩＮＦＯをメモリ１０５内に記憶する。
【００５８】
また、電源回路３４０への入力信号ＳＥＬが所定電位Ｖ２に復帰すると（時刻ｔ３）、ＣＰＵ３６０が起動される。これによって、所定のアプリケーションが起動されて、リロードされたユーザに関する情報ＩＮＦＯを用いてアプリケーションのデータが初期化され、挿入されたＳＩＭカード２００の情報が反映される。
【００５９】
図５は、本実施の形態において、インターフェース部１７０へのＳＩＭカード２００の挿入時に制御装置３００で実行される処理を説明するためのフローチャートである。
【００６０】
図３および図５を参照して、制御装置３００は、ステップ（以下、ステップをＳと略す。）１００にて、インターフェース部１７０へのＳＩＭカード２００の挿入があったか否かを、信号ＩＳＴの電位によって判定する。
【００６１】
ＳＩＭカード２００が挿入されていない場合（Ｓ１００にてＮＯ）は、以降の処理を行なう必要はないので、制御装置３００は処理を終了する。
【００６２】
ＳＩＭカード２００が挿入された場合（Ｓ１００にてＹＥＳ）は、処理がＳ１１０に進められ、制御装置３００は、信号ＩＳＴのチャタリング防止処理を実行する。これは、ユーザのＳＩＭカード２００の挿入操作において、検出部１７５の接点が短時間にオン／オフを繰り返した場合（チャタリング）に、図４で説明した状態が短時間に複数回実行されることを防止するための処理である。より具体的には、挿入検出部３２０において、信号ＩＳＴの電位が接地電位に変化したことが最初に検出された場合に、挿入検出部３２０における信号ＩＳＴの電位を所定の時間の間自己保持処理をして、実際の信号ＩＳＴの電位が変動したとしても接地電位の状態に保持する。
【００６３】
これによって、ＳＩＭカード２００の挿入が検出されると（Ｓ１２０）、制御装置３００は、Ｓ１３０にて、ＳＩＭカード２００に供給する電源電圧ＰＷＳＭのリセット処理を実行する。電源電圧のリセット処理とは、図３および図４で説明したように、信号ＳＩＧを短時間だけＨｉｇｈに設定してスイッチ３３０を導通状態とし、スイッチ３３０が導通状態の間、電源電圧ＰＷＳＭの供給を停止することである。
【００６４】
そして、制御装置３００は、Ｓ１４０にてＣＰＵ３６０を起動するとともに、Ｓ１５０にて制御部３５０によってＳＩＭカード２００内の情報ＩＮＦＯを読出してメモリ１０５に記憶する。
【００６５】
その後、制御装置３００は、Ｓ１６０にてＣＰＵ３６０により所定のアプリケーションを起動して、メモリ１０５に記憶したユーザ情報等に基づいてデータを初期化する。
【００６６】
また、図６は、インターフェース部１７０からＳＩＭカード２００を抜き取る際に制御装置３００で実行される処理を説明するためのフローチャートである。
【００６７】
図３および図６を参照して、制御装置３００は、Ｓ２００にて、主電源投入中にＳＩＭカード２００が抜き取られたか否かを判定する。
【００６８】
ＳＩＭカード２００の抜き取りがなかった場合（Ｓ２００にてＮＯ）は、以降の処理がスキップされ、制御装置３００は処理を終了する。なお、図６には示していないが、図５と同様にチャタリング防止処理が行われてもよい。
【００６９】
ＳＩＭカード２００が抜き取られた場合（Ｓ２００にてＹＥＳ）は、処理がＳ２１０に進められて、制御装置３００は、挿入検出部３２０においてＳＩＭカード２００の抜き取りを検出する。そして、Ｓ２２０にて、ＣＰＵ３６０へ抜取情報が通知される。
【００７０】
その後、ＣＰＵ３６０で動作中のアプリケーションにおいて、ＳＩＭカード２００内の情報の読取動作を実行し（Ｓ２３０）、情報が読出せるかどうかを判定する（Ｓ２４０）。
【００７１】
ＳＩＭカード２００の情報を読出すことができた場合（Ｓ２４０にてＹＥＳ）は、ＳＩＭカード２００がまだインターフェース部１７０に挿入されたままであるので、制御装置３００は処理を終了する。
【００７２】
ＳＩＭカード２００の情報を読出すことができなかった場合（Ｓ２４０にてＮＯ）は、処理がＳ２５０に進められ、制御装置３００は、ＣＰＵ３６０で実行中のアプリケーションを停止する。これによって、メモリ１０５内に残存する不正確なＳＩＭカード情報のデータを用いたアプリケーションの実行が防止される。
【００７３】
以上のような処理に従って制御を行なうことによって、主電源が投入されていない状態でＳＩＭカードが挿入された場合であっても、ＳＩＭカード内の情報を適切にリロードしてアプリケーション内のデータを更新することができる。そのため、ＳＩＭカードの適切な情報を反映してアプリケーションを動作させることが可能となる。
【００７４】
また、主電源投入中にＳＩＭカードが抜き取られた場合には、アプリケーションが停止される。不正確なＳＩＭカード情報のデータを用いたアプリケーションの不適切な実行が防止される。
【００７５】
今回開示された実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【符号の説明】
【００７６】
１００  電子機器、１０５  メモリ、１１０  タッチパネル、１１５  ディスプレイ、１１７  ＬＥＤ、１１６  スピーカ、１２０  操作ボタン、１２５  システムバス、１３０  筺体、１４０，１５０  蓋部、１６０  コネクタ部、１７０  インターフェース部、１７５  検出部、１８０  無線通信部、１８５  通信アンテナ、２００  記憶媒体、２５０  外部コネクタ、３００  制御装置、３１０  電源ノード、３２０  挿入検出部、３３０  スイッチ、３４０  電源回路、３５０  制御部、３６０  ＣＰＵ、Ｒ１  抵抗。
【図１】
2014056377.tif 000003
【図２】
2014056377.tif 000004
【図３】
2014056377.tif 000005
【図４】
2014056377.tif 000006
【図５】
2014056377.tif 000007
【図６】
2014056377.tif 000008